(57)【特許請求の範囲】
【請求項１】
アイロン掛けの対象となるセーラー服の内部に挿入されたままの状態でその表側と裏側がそれぞれセーラー服の前側と後ろ側をアイロン掛けするために使用されるセーラー服用アイロン台であって、
前記セーラー服の内部に挿入されたとき前記セーラー服の胴体部に対向する平板状の本体部であって、平面の全体が野球の略ホームベース状の略６角形状に形成されており、平面の左右方向のサイズが前記セーラー服の胴体部の左右方向のサイズと近似するように形成されており、平面の上下方向のサイズが前記セーラー服の胴体部の上下方向のサイズよりも約１０〜２００ｍｍだけ大きく形成されている本体部と、
前記セーラー服の内部に挿入されたとき前記セーラー服の肩の部分に対向するように、前記本体部の上方の左右にそれぞれ形成された各傾斜部であって、本体部の上下方向に対して「前記セーラー服の肩の部分の、胴体部の上下方向に対する傾斜角度」と略同一の傾斜角度を有し、且つ前記セーラー服の肩の部分と略同一の長さを有する各傾斜部と、
前記各傾斜部の間に形成、配置された上側凹状縁部であって、「セーラー服中の後ろ襟がユーザーの後ろ首と対向する部分であって、セーラー服の後ろ襟と胴体部との接続部分である、略円弧状の凹状部分」の形状と略同一の略円弧状の凹状を有するように形成された上側凹状縁部と、
を備えたことを特徴とするセーラー服用アイロン台。
【請求項２】
請求項１において、前記上側凹状縁部及びその近傍部分は、その厚さ寸法が前記本体部中の「前記上側凹状縁部及びその近傍部分」を除く他の部分の厚さ寸法よりも約３〜２０ｍｍだけ大きくなるように形成されていることを特徴とするセーラー服用アイロン台。
【発明の詳細な説明】
【技術分野】
【０００１】
本発明はアイロン台、特にセーラー服のアイロンに適したセーラー服用アイロン台に関する。
【背景技術】
【０００２】
従来より、様々なアイロン台が提案されている。例えば特許文献１は、１つのアイロン台を複数の部分に分割してそれぞれを洋服の袖のプレスやズボンのプレスに使用できるようにしている。
【先行技術文献】
【特許文献】
【０００３】
【特許文献１】特開２００３−１９４００号公報
【発明の概要】
【発明が解決しようとする課題】
【０００４】
しかしながら、様々な衣服の中で、セーラー服は、前側と後ろ側にそれぞれ大きな襟を有するなど極めて特殊複雑な形状をしているため、通常のアイロン台を使用してアイロン掛けをすることが極めて困難であったが、このようなセーラー服を容易にアイロン掛けできるようなアイロン台は従来全く存在していなかった。
【０００５】
本発明はこのような従来技術の問題点に着目してなされたものであって、セーラー服の全体を容易にアイロン掛けできるアイロン台を提供することを目的とする。特に本発明は、１つのアイロン台によりセーラー服の前側と後ろ側との双方を簡単にアイロン掛けでき、且つセーラー服の大きな後ろ襟を容易にシワなく引き伸ばして正確にアイロン掛けできるアイロン台を提供することを目的とする。
【課題を解決するための手段】
【０００６】
このような従来技術の課題を解決するための本発明によるアイロン台は、アイロン掛けの対象となるセーラー服の内部に挿入されたままの状態でその表側と裏側がそれぞれセーラー服の前側と後ろ側をアイロン掛けするために使用されるセーラー服用アイロン台であって、前記セーラー服の内部に挿入されたとき前記セーラー服の胴体部に対向する平板状の本体部であって、平面の全体が野球の略ホームベース状の略６角形状に形成されており、平面の左右方向のサイズが前記セーラー服の胴体部の左右方向のサイズと近似するように形成されており、平面の上下方向のサイズが前記セーラー服の胴体部の上下方向のサイズよりも約１０〜２００ｍｍだけ大きく形成されている本体部と、前記セーラー服の内部に挿入されたとき前記セーラー服の肩の部分に対向するように、前記本体部の上方の左右にそれぞれ形成された各傾斜部であって、本体部の上下方向に対して「前記セーラー服の肩の部分の、胴体部の上下方向に対する傾斜角度」と略同一の傾斜角度を有し、且つ前記セーラー服の肩の部分と略同一の長さを有する各傾斜部と、前記各傾斜部の間に形成、配置された上側凹状縁部であって、「セーラー服中の後ろ襟がユーザーの後ろ首と対向する部分であって、セーラー服の後ろ襟と胴体部（後ろ見頃）との接続部分である、略円弧状の凹状部分」の形状と略同一の略円弧状の凹状を有するように形成された上側凹状縁部と、を備えたことを特徴とするものである。
【０００７】
特に、本発明では、前述のように、「セーラー服中の後ろ襟がユーザーの後ろ首に対向する部分（セーラー服の後ろ襟と胴体部（後ろ身頃）との接続部分）と略同一の略円弧形状」を有するように形成された上側凹状縁部を含むことを特徴としている。
【０００８】
さらに、本発明によるアイロン台においては、前記上側縁部及びその近傍部分は、その厚さ寸法が前記本体部中の「前記上側縁部及びその近傍部分」を除く他の部分の厚さ寸法よりも約３〜２０ｍｍだけ大きくなるように形成されていることが望ましい。
【発明の効果】
【０００９】
本発明においては、アイロン掛けの対象となるセーラー服の内部に挿入されたままの状態でその表側と裏側がそれぞれセーラー服の前側と後ろ側をアイロン掛けするために使用されるセーラー服用アイロン台であって、前記セーラー服の内部に挿入されたとき前記セーラー服の胴体部に対向する平板状の本体部であって、平面の全体が野球の略ホームベース状の略６角形状に形成されており、平面の左右方向のサイズが前記セーラー服の胴体部の左右方向のサイズと近似するように形成されており、平面の上下方向のサイズが前記セーラー服の胴体部の上下方向のサイズよりも約１０〜２００ｍｍだけ大きく形成されている本体部と、前記セーラー服の内部に挿入されたとき前記セーラー服の肩の部分に対向するように、前記本体部の上方の左右にそれぞれ形成された各傾斜部であって、本体部の上下方向に対して「前記セーラー服の肩の部分の、胴体部の上下方向に対する傾斜角度」と略同一の傾斜角度を有し、且つ前記セーラー服の肩の部分と略同一の長さを有する各傾斜部と、を備えるようにしている。よって、本発明によれば、ユーザーは、前記本体部を前記セーラー服の内部に挿入するだけで、前記傾斜部の上方の縁部が前記セーラー服の肩の部分に対向、当接され、その結果、前記本体部及び前記セーラー服の胴体部の上下方向及び左右方向がそれぞれ互いに合致するように互いに位置決めされ、前記本体部により、前記セーラー服の胴体部がその内部からシワがほとんど無いように引き伸ばされるようになるので、１つのアイロン台をひっくり返すだけでセーラー服の前側と後ろ側との双方を、シワなく正確に、且つ簡単に、アイロン掛けできるようになる。
【００１０】
また、本発明においては、前記各傾斜部の間に形成、配置された上側凹状縁部であって、「セーラー服中の後ろ襟がユーザーの後ろ首に対向する部分である、略円弧状の凹状部分（セーラー服の後ろ襟と後ろ身頃との接続部分）」の形状と略同一の略円弧状の凹状を有するように形成された上側凹状縁部、を備えるようにしている。よって、本発明によれば、ユーザーは、前記本体部をセーラー服の外側からその背面側（後身頃の側）に配置してセーラー服の後ろ襟をその本体部上に配置するだけで、前記本体部の上側凹状縁部とセーラー服の前記略円弧状の凹状部分（後ろ襟と後ろ身頃との接続部分。図４（ｂ）の符号２３ａ、及び図８の（８）のセーラー服の図示上端部分を参照）とが互いに対向、当接され、その結果、セーラー服の後ろ襟が前記上側凹状縁部及び前記本体部平面上に正確に位置決めされシワなく伸ばされ易くなるので、セーラー服の大きな後ろ襟を容易にシワなく引き伸ばして正確にアイロン掛けできるようになる。
【００１１】
さらに本発明において、前記上側縁部及びその近傍部分の厚さ寸法が前記本体部中の「前記上側縁部及びその近傍部分」を除く他の部分よりも約３〜２０ｍｍ（より望ましくは約３〜１５ｍｍ又は約５〜１５ｍｍ）だけ大きくなるように形成するようにしたときは、ユーザーは、前記本体部をセーラー服の外側からその背面側（後身頃の側）に配置してセーラー服の後ろ襟をその上に配置することにより、前記上側縁部とセーラー服の後ろ襟とが互いに対向、当接し、前記セーラー服の後ろ襟の胴体部側の縁部（前記セーラー服の後ろ襟の胴体部と接続された接続部分及びその近傍部分。セーラー服の後ろ襟の胴体部側の縁部は、胴体部との間に所定の空間を有するように形成されている。）がシワなく広げられた状態でアイロン掛けできるので、セーラー服の後ろ襟を極めて容易に且つ正確にシワなくアイロン掛けできるようになる。
【図面の簡単な説明】
【００１２】
【図１】本発明の実施形態１に係るアイロン台を説明するための図である。
【図２】本実施形態１に係るアイロン台を説明するための図である。
【図３】本実施形態１に係るアイロン台を説明するための図である。
【図４】本実施形態１に係るアイロン台を説明するための図である。
【図５】本実施形態１に係るアイロン台を説明するための図である。
【図６】本実施形態１に係るアイロン台を説明するための図である。
【図７】本実施形態１の使用方法を説明するための図である。
【図８】本実施形態１の使用方法を説明するための図である。
【図９】本実施形態１の使用方法を説明するための図である。
【図１０】本実施形態１の使用方法を説明するための図である。
【図１１】本実施形態１の使用方法を説明するための図である。
【図１２】本実施形態１の使用方法を説明するための図である。
【図１３】本実施形態１の使用時に使用する前襟用の小アイロン台を説明するための図である。
【発明を実施するための形態】
【００１３】
以下、本発明の実施の形態を図面１〜６を用いて説明する。図面１〜６中、図１〜５は本実施形態に係るアイロン台の全体の形状などを説明するための図、図６は本実施形態に係るアイロン台の上側縁部の構造を説明するための図である。図１〜５において、１は平面が略ホームベース状で略６角形状に形成された平板状のアイロン台、１ａはアイロン台１の表面側、１ｂはアイロン台１の裏面側である。前記アイロン台１の内部構造と素材は、従来例と同様に、例えばセラミック、プラスチック、木材、又は金属材料より成る平板と、その周囲を覆う綿、石綿、キルト、又はフェルトなどの柔軟素材と、更にその周囲を覆う布などとから成るものである。
【００１４】
本実施形態においては、前記アイロン台１の平面形状と寸法は、セーラー服２０の胴体部２１（前身頃２１ａ及び後身頃２１ｂ）と対応するように（近似するように）形成されている（実際には、セーラー服２０のＳ，Ｍ，Ｌなどのサイズにそれぞれ合致するように、前記アイロン台１の平面形状と寸法が決められる）。すなわち、アイロン台１の平面の左右方向のサイズは、セーラー服の胴体部の左右方向のサイズと略同一又は近似するサイズに形成されている。またアイロン台１の平面の上下方向のサイズは、セーラー服の胴体部の上下方向のサイズよりも約１０〜２００ｍｍ、望ましくは約５０〜１５０ｍｍだけ大きく形成されている。
【００１５】
また、前記アイロン台１の上方の左右にはそれぞれ傾斜部２が形成されている。この各傾斜部２は、アイロン台１の上下方向に対して、セーラー服２０の左右の肩に対応（対向）する部分２２の傾斜角度（前記肩に対応する部分２２の、セーラー服２０の胴体部２１の上下方向に対する傾斜角度）と同一又は近似の傾斜角度を有するように、形成されている。また、前記傾斜部２の長さはセーラー服２０の肩に対応する部分２２の長さと略同一の長さに形成されている。
【００１６】
また、前記アイロン台１の前記２つの各傾斜部２の間には、上側縁部３が形成されている。この上側縁部３は、「セーラー服２０の後ろ襟２３の胴体部２１との接続部分及びその近傍部分（略円弧状部分）２３ａ」（図４（ａ）の符号２３ａ参照）と対応する略円弧状を有するように形成されている。
【００１７】
また、前記アイロン台１の「上側縁部３及びその近傍部分（前記上側縁部３から例えば約１０〜２０ｍｍの範囲内の部分）」は、図６（ｂ）（図５（ａ）のＡ−Ａ線断面図である）に示すように、その厚さ寸法ｍ１が前記アイロン台１の中の「前記上側縁部３及びその近傍部分」を除く他の部分の厚さ寸法ｍ２よりも、約３〜２０ｍｍだけ大きく、例えば約１０ｍｍだけ大きくなるように形成されている。このように形成した理由は次のとおりである。図５（ｂ）及び図６（ａ）に示すように、セーラー服２０の後ろ襟２３中の「胴体部（後身頃）２１ｂと接続する接続部分２３ａ及びその近傍部分２３ｂ（前記接続部分２３ａから例えば約１０〜２０ｍｍの範囲内の部分）」は、後ろ襟２３中の「前記接続部分２３ａ及びその近傍部分２３ｂ」以外の部分２３ｃと比較して、セーラー服を着用したときの胴体部（後身頃）２１ｂに対する距離が大きくなるように、もともと（従来より）形成されている。すなわち、図６（ａ）に示すように、セーラー服２０の後ろ襟２３中の「胴体部（後身頃）２１ｂと接続する接続部分２３ａ及びその近傍部分２３ｂ」と胴体部（後身頃）２１ｂとの間の距離ｎ１は、後ろ襟２３中の「前記接続部分２３ａ及びその近傍部分２３ｂ」以外の部分２３ｃと胴体部（後身頃）２１ｂとの間の距離ｎ２よりも約３〜２０ｍｍだけ（例えば約１０ｍｍだけ）大きく形成されている（これにより、セーラー服を着たときに、後ろ襟２３中の「胴体部（後身頃）２１ｂと接続する接続部分２３ａ及びその近傍部分２３ｂ」だけがそれら以外の他の部分２３ｃよりも外側に膨らんで、後ろ襟２３のシルエットがより見栄えよく見えるように形成されている）。よって、このような後ろ襟２３中の「前記胴体部（後身頃）２１ｂと接続する部分２３ａ及びその近傍部分２３ｂ」を十分に引き延ばしてシワなくアイロン掛けするためには、前記アイロン台１の「前記上側縁部３及びその近傍部分（前記上側縁部３から例えば約１０〜２０ｍｍの範囲内の部分）」の厚さ寸法ｍ１を、前記アイロン台１の中の「前記上側縁部３及びその近傍部分」を除く他の部分の厚さ寸法ｍ２よりも、約３〜２０ｍｍだけ（例えば約１０ｍｍだけ）大きく形成する必要があるのである。
【００１８】
次に、本実施形態に動作及び使用方法を図７〜１３を参照して説明する。なお図７は本実施形態の使用方法の手順の一例を纏めて示したものである。ユーザーが本実施形態を使用するときは、まず、図８に示すように、本実施形態に係るアイロン台１の表面側１ａを上側にして、テーブル上などに置かれたセーラー服２０の胴体部２１中に、その下方の開口部から入れる。さらに図９に示すように、アイロン台１の傾斜部２がセーラー服２０の肩の部分（傾斜している部分）２２と対向、当接するまで差し込む。この図９に示す段階になると、アイロン台１がセーラー服２０の胴体部２１の中で胴体部２１とその上下及び左右の方向が互いに一致、対応するように位置決めされる結果、アイロン台１によりセーラー服２０の胴体部の前身頃２１ａと後身頃２１ｂとが共にシワなく引き延ばされるので、この状態で前身頃２１ａをアイロン掛けする（図７の（４）参照）。また、袖２５の部分もアイロン掛けする。
【００１９】
なおこの段階では、前身頃２１ａだけでなく前襟２４もアイロン掛けするが、その際には、図１３に示すような前襟用の小アイロン台３１ａ，３１ｂを各前襟２４の下に挿入した上でアイロン掛けすることが望ましい（図７の（５）及び（６）も参照）。なお、図１３の前襟用の小アイロン台３１ａ，３１ｂは、小アイロン台３１ａが右側の前襟用，３１ｂが左側の前襟用である。また、これらの前襟用の小アイロン台３１ａ，３１ｂは、同じ１つの小アイロン台の表側と裏側とで構成することもできる。
【００２０】
次に、上記のアイロン台１が胴体部２１中に差し込まれたままの状態で、図１０に示すように、セーラー服２０の後身頃２１ｂが上側になるように全体を裏返し、そのまま、後身頃２１ｂをアイロン掛けすることができる（図７の（７）参照）。これは、図９に関して前述したように、アイロン台１がセーラー服２０の胴体部２１の中で胴体部２１とその上下及び左右の方向が互いに一致、対応するように位置決めされる結果、アイロン台１によりセーラー服２０の胴体部の前身頃２１ａと後身頃２１ｂとが共にシワなく引き延ばされることから、可能になっている。
【００２１】
その後、アイロン台１をセーラー服２０中から外部に取り出し、アイロン台１を取り出したセーラー服２０を、後身頃２１ｂが上にくるように置き、さらに、図１１に示すように、後ろ襟２３を、後身頃（胴体部の裏側）２１ｂから離れるように図示上方に移動させ、さらに、この状態の後身頃（胴体部の裏側）２１ｂの上にアイロン台１を置く。次に、図１２に示すように、前記の後身頃（胴体部の裏側）２１ｂから離れるように移動させた後ろ襟２３を、アイロン台１の方に移動させてアイロン台１の上に置いて、アイロン掛けする。このとき、前述のように、上側縁部３が後ろ襟２３に対応する円弧状となっていること、及び上側縁部３とその近傍部分の厚さ寸法がアイロン台１の他の部分よりも大きく形成されていることから、セーラー服２０の後ろ襟２３中の「胴体部（後見頃２１ｂ）と接続された接続部分２３ａ及びその近傍部分２３ｂ」は、前記上側縁部３とその近傍部分に支えられて、シワがなくきれいに引き延ばされた状態となる。よって、この状態でアイロン掛けをすれば、セーラー服２０の後ろ襟２３の全体をシワなくきれいにアイロン掛けすることができる。
【００２２】
以上説明したように、本実施形態によれば、平面がセーラー服２０の胴体部２１の平面の形状及びサイズと近似するように形成されている（上下方向のサイズはセーラー服よりも大きく形成されている）略ベースボール状のアイロン台とセーラー服の肩の部分２２の傾斜と略同一の傾斜角度を有する傾斜部２とを備えるようにしたので、ユーザーは、アイロン台１をセーラー服２０の中にその下方から差し込むとき、前記傾斜部２がセーラー服の肩の部分２２の内側（傾斜する部分）と対向、当接するように差し込むようにするだけで、アイロン台１がセーラー服２０の胴体部２１中に極めて正確に（上下と左右の方向がそれぞれ一致するように）位置決めされる（いわば、セーラー服とアイロン台が「一体化」される）ので、セーラー服２０の胴体部２１の前身頃２１ａと後身頃２１ｂとが共に、内部のアイロン台１によりシワなく引き延ばされるようになる。よって、ユーザーは、内部のアイロン台によりシワなく引き延ばされた前身頃２１ａを容易にアイロン掛けすることができ、さらに、その後、ユーザーは、そのアイロン台１が内部に挿入されたままのセーラー服を裏返して、今度は、内部のアイロン台によりシワなく引き延ばされた後身頃２１ｂを容易にアイロン掛けすることができる。
【００２３】
また、本実施形態によれば、前記上側縁部３を「セーラー服２０の後ろ襟２３の後身頃２１ｂとの接続部分２３ａ」と対応する略円弧状に形成するようにしたので、ユーザーは、前記アイロン台１をセーラー服２０の外側から後身頃２１ｂの上に配置しセーラー服２０の後ろ襟２３をそのアイロン台１の上に配置することにより、前記上側縁部３とセーラー服２０の後ろ襟２３の後身頃２１ｂとの接続部分２３ａとが互いに対向、当接するため、セーラー服２０の後ろ襟２３が前記上側縁部３及び前記アイロン台１の上に正確に位置決めされるので、セーラー服２０の後ろ襟２３を極めて容易に且つ正確にアイロン掛けできるようになる。
【００２４】
さらに本実施形態によれば、「前記上側縁部３及びその近傍部分」の厚さ寸法が、前記アイロン台１中の「前記上側縁部３及びその近傍部分」を除く他の部分よりも例えば約１０ｍｍだけ大きくなるように形成しているので、ユーザーは、前記アイロン台１をセーラー服２０の外側から後身頃２１ｂの上に配置してセーラー服２０の後ろ襟２３をその上に配置するだけで、「前記セーラー服２０の後ろ襟２３中の後身頃２１ｂと接続された接続部分２３ａ及びその近傍部分２３ｂ」をシワなく広げられた状態でアイロン掛けすることができるようになり、セーラー服２０の後ろ襟２３の全体を極めて容易に且つ正確にシワなくアイロン掛けできるようになる。
【符号の説明】
【００２５】
１     アイロン台
１ａ   表面側
２     傾斜部
３     上側縁部
２０   セーラー服
２１   胴体部
２１ａ 前身頃
２１ｂ 後身頃
２２   肩に対応する部分
２３   後ろ襟
２３ａ 後身頃との接続部分
２３ｂ 近傍部分
２３ｃ 他の部分
２４   前襟
３１ａ，３１ｂ 小アイロン台
【要約】
【目的】  セーラー服を容易にアイロン掛けでき、特にセーラー服の大きな後ろ襟をシワなく正確にアイロン掛けできるアイロン台を提供する。
【構成】  平面がセーラー服の胴体部の平面の形状及びサイズと近似する略ベースボール状で略６角形状の平板状本体部と、前記本体部の上方の左右端部側にそれぞれ配置された各傾斜部であってセーラー服の肩に対応する部分の傾斜と略同一の傾斜角度を有する傾斜部と、を含むことを特徴とするセーラー服用アイロン台である。
【選択図】    図１【図６】
0005541824.tif 000002
【図１】
0005541824.tif 000003
【図２】
0005541824.tif 000004
【図３】
0005541824.tif 000005
【図４】
0005541824.tif 000006
【図５】
0005541824.tif 000007
【図７】
0005541824.tif 000008
【図８】
0005541824.tif 000009
【図９】
0005541824.tif 000010
【図１０】
0005541824.tif 000011
【図１１】
0005541824.tif 000012
【図１２】
0005541824.tif 000013
【図１３】
0005541824.tif 000014